【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
管理エリア内のエネルギーの需要及び供給のうちの少なくとも一方の予測結果に基づいて当該管理エリア内の前記エネルギーの運用を行うエネルギー運用装置において、
前記管理エリア内の将来の前記エネルギーの需要量及び発電量のうちの少なくとも一方を予測する需要予測部と、
前記需要予測部の予測結果に基づいて、前記管理エリアにおける将来のエネルギー供給の計画を立案する計画部と、
前記管理エリア内の将来の気象と、前記管理エリア内のエネルギー需要と、前記管理エリア内の将来のエネルギーの需要密度及び発生密度のうちの少なくとも一方との少なくとも一つを含む需給コンディションを評価する評価部と、
前記評価部の評価結果に基づいて、前記需要予測部の予測解及び前記計画部の前記エネルギー供給の計画のうちの少なくともの一方の品質をコントロールする解品質コントロール部と、
前記管理エリア内の前記エネルギーの将来の需要密度及び発生密度のうちの少なくとも一方を予測する需要密度予測部と
を備え、
前記需要予測部は、前記需要密度予測部の予測結果に基づいて、前記管理エリア内の前記エネルギーの将来の需要量及び発電量のうちの少なくとも一方を予測し、
前記評価部は、前記管理エリア内の前記需要密度予測部の予測結果を含む、需供コンディションを評価する
ことを特徴とするエネルギー運用装置。
【請求項２】
請求項１に記載のエネルギー運用装置であって、
前記管理エリア内の将来の気象を予測する気象予測部を更に備え、
前記評価部は、前記管理エリア内の前記気象予測部の予測結果を含む、前記需給コンディションを評価する
ことを特徴とするエネルギー運用装置。
【請求項３】
請求項２に記載のエネルギー運用装置であって、
前記気象予測部は、
前記管理エリア内の過去の気象要素の観測データと、前記気象の予測結果とのデータ同化を行う第１のデータ同化部と、
前記管理エリア内の現在の気象要素の観測データと、前記気象の予測結果とのデータ同化を行う第２のデータ同化部と
を備えることを特徴とするエネルギー運用装置。
【請求項４】
請求項３に記載のエネルギー運用装置であって、
前記第１のデータ同化部は、
前記需要密度予測部の予測結果に基づいて前記管理エリア内の前記エネルギーの高い需要密度及び発生密度のうちの少なくとも一方に対応する地点を判定し、当該地点に対する前記気象の予測結果と、当該地点における前記気象要素の観測データとのデータ同化を行う
ことを特徴とするエネルギー運用装置。
【請求項５】
請求項１に記載のエネルギー運用装置であって、
前記評価部は、
時間的及び空間的なデータのうちの少なくとも一方の分散状態に基づいて前記気象予測部及び前記需要密度予測部の予測結果を評価する
ことを特徴とするエネルギー運用装置。
【請求項６】
請求項１に記載のエネルギー運用装置であって、
前記解品質コントロール部は、
前記計画部の前記エネルギー供給計画と、前記エネルギー運用装置及びユーザのうちの一方により指定された前記需要予測部の予測解とのうちの少なくとも一方に応じて、前記需要予測部の前記予測解及び又は前記計画部の前記エネルギー供給計画の品質をコントロールする
ことを特徴とするエネルギー運用装置。
【請求項７】
管理エリア内のエネルギーの需要及び供給のうちの少なくとも一方の予測結果に基づいて当該管理エリア内の前記エネルギーの運用を行うエネルギー運用装置において実行されるエネルギー運用方法であって、
前記管理エリア内の将来の前記エネルギーの需要量及び発電量のうちの少なくとも一方を予測する第１のステップと、
前記エネルギーの需要量及び発電量の少なくとも一方の予測結果に基づいて、前記管理エリアにおける将来のエネルギー供給の計画を立案する第２のステップと
を有し、
前記第１のステップは、
前記管理エリア内の将来の気象と、前記管理エリア内のエネルギー需要と、前記管理エリア内の将来のエネルギーの需要密度及び発生密度の少なくとも一方との少なくとも一つを含む需給コンディションを評価する評価ステップと、
評価ステップにおける評価結果に基づいて、前記エネルギーの需要量及び発電量の少なくとも一方の予測解及び前記エネルギー供給のうちの少なくとも一方の計画の品質をコントロールする解品質コントロールステップと
を備え、
前記第１のステップでは、
前記管理エリア内の前記エネルギーの将来の需要密度及び発生密度のうちの少なくとも一方を更に予測し、
前記エネルギーの需要密度及び発生密度のうちの少なくとも一方の予測結果に基づいて、前記管理エリア内の前記エネルギーの将来の需要量及び発電量のうちの少なくとも一方を予測し、
前記管理エリア内の前記エネルギーの需要量及び発電量の少なくとも一方の予測結果を含む、前記需給コンディションを評価する
ことを特徴とするエネルギー運用方法。
【請求項８】
請求項７に記載のエネルギー運用方法であって、
前記第１のステップでは、
前記管理エリア内の将来の気象を予測し、
前記管理エリア内の前記気象の予測結果を含む、前記需給コンディションを評価する
ことを特徴とするエネルギー運用方法。
【請求項９】
請求項８に記載のエネルギー運用方法であって、
前記第１のステップでは、
前記管理エリア内の過去の気象要素の観測データと、前記気象の予測結果とのデータ同化を行うと共に、前記管理エリア内の現在の気象要素の観測データと、前記気象の予測結果とのデータ同化を行いながら、前記管理エリア内の将来の気象を予測する
ことを特徴とするエネルギー運用方法。
【請求項１０】
請求項９に記載のエネルギー運用方法であって、
前記管理エリア内の過去の気象要素の観測データと、前記気象の予測結果とのデータ同化では、
前記エネルギーの需要密度及び発生密度のうちの少なくとも一方の予測結果に基づいて前記管理エリア内の前記エネルギーの高い需要密度及び発生密度のうちの少なくとも一方に対応する地点を判定し、当該地点に対する前記気象の予測結果と、当該地点における前記気象要素の観測データとのデータ同化を行う
ことを特徴とするエネルギー運用方法。
【請求項１１】
管理エリア内のエネルギーの需要及び供給のうちの少なくとも一方を予測し、予測結果に基づいて当該管理エリア内の前記エネルギーの運用を行う複数のエネルギー運用装置から構成されるエネルギー運用システムにおいて、
各前記エネルギー運用装置は、
前記管理エリア内の前記エネルギーの将来の需要量及び発電量のうちの少なくとも一方を予測する需要予測部と、
前記需要予測部の予測結果に基づいて、前記管理エリアにおける将来のエネルギー供給の計画を立案する計画部と、
前記管理エリア内の将来の気象と、前記管理エリア内のエネルギー需要と、前記管理エリア内の将来のエネルギーの需要密度及び発生密度の少なくとも一方との少なくとも一つを含む需給コンディションを評価する評価部と、
前記評価部の評価結果に基づいて、前記需要予測部の予測解及び前記計画部の前記エネルギー供給の計画のうちの少なくとも一方の品質をコントロールする解品質コントロール部と、
前記管理エリア内の将来の気象を予測する気象予測部と、
前記管理エリア内の前記エネルギーの将来の需要密度及び発生密度のうちの少なくとも一方を予測する需要密度予測部とを備え、
前記需要予測部は、前記需要密度予測部の予測結果に基づいて、前記管理エリア内の前記エネルギーの将来の需要量及び発電量のうちの少なくとも一方を予測し、
前記評価部は、前記管理エリア内の前記気象予測部の予測結果及び前記需要密度予測部の予測結果のうちの少なくとも一方を含む、前記需給コンディションを評価し、
前記上位のエネルギー運用装置の前記気象予測部と、前記下位のエネルギー運用装置の前記気象予測部とが、それぞれ異なる気象要素のデータに基づいて前記管理エリア内の前記気象を予測し、
前記上位のエネルギー運用装置の前記需要密度予測部と、前記下位のエネルギー運用装置の前記需要密度予測部とが、それぞれ異なる地点のデータに基づいて前記管理エリア内の前記エネルギーの需要密度及び発生密度のうちの少なくとも一方を予測する
ことを特徴とするエネルギー運用システム。
【請求項１２】
請求項１１に記載のエネルギー運用システムであって、
前記上位のエネルギー運用装置の前記気象予測部は、上層の気象要素の観測データに基づいて前記管理エリア内の気象を予測し、
前記下位のエネルギー運用装置の前記気象予測部は、地表面付近の気象要素の観測データに基づいて前記管理エリア内の気象を予測する
ことを特徴とするエネルギー運用システム。